(57)【要約】【課題】  効率よくヒートシンクによる電子回路部品の放熱を行う。【解決手段】  主制御基板２１を基板収納ケース３０に収納する。基板収納ケース３０は、上ケース３１、下ケース３２を備える。本体部３１ａの略中心部に、放熱フィン３５ｂの上面の外周端よりも大きいサイズの露呈開口３１ｆを形成する。本体部３１ａに、押さえリブ３３を形成する。押さえリブ３３を、露呈開口３１ｆの外周端に沿って形成する。各傾斜部３３ａ〜３３ｄの下側先端により形成される挿通開口３４を、放熱フィン３５ｂが挿通可能で且つベース３５ａが挿通不能なサイズで形成する。ヒートシンク３５は、ベース３５ａ、放熱フィン３５ｂ、凸部３５ｃを備える。ベース３５ａを、メインＣＰＵ２１ａの上面に当接させる。凸部３５ｃを、直線部３３ｅの側面を取り囲む長さで形成する。放熱フィン３５ｂと凸部３５ｃとの間に板バネ３６を取り付ける。【選択図】        図５
2006340911.tif 000002
【特許請求の範囲】
【請求項１】
電子回路部品が組み込まれた回路基板と、前記電子回路部品の上面に対面し当接する板状の当接部、及び前記当接部の上面の外周端よりも内側の範囲に立設される放熱部を有する放熱部材と、前記電子回路部品の上面を上側にして前記回路基板を保持する下ケースと、前記下ケースに被さることによって前記回路基板を覆う上ケースと、を備えた基板収納ユニットであって、
前記上ケースの前記当接部上面に対面する上面の前記当接部に対面する位置に、前記放熱部の上面の外周端よりも大きいサイズで形成され、前記放熱部を外部に露呈する露呈開口と、
前記上ケースの上内面に、前記露呈開口の外周端に沿うとともに前記当接部に向けて筒状に立設され、前記放熱部の側面を取り囲む筒部と、を備え、
前記筒部を、上方から下方に向かうにつれて内側方向に傾斜し、立設方向の先端開口が、前記放熱部を挿通可能で且つ前記当接部を挿通不能となるように形成したことを特徴とする基板収納ユニット。
【請求項２】
前記当接部の上面の外周端に、前記筒部の立設方向先端部の側面を取り囲む凸部を形成したことを特徴とする請求項１記載の基板収納ユニット。
【請求項３】
前記当接部の上面と前記筒部の立設方向先端面とに当接して密着する緩衝部材を設けたことを特徴とする請求項１または２記載の基板収納ユニット。
【請求項４】
前記緩衝部材を、前記当接部が前記電子回路部品に当接して密着するように前記放熱部材を付勢するバネ部材から構成したことを特徴とする請求項３記載の基板収納ユニット。
【請求項５】
請求項１ないし４いずれか１つ記載の基板収納ユニットを備えたことを特徴とする遊技機。
【発明の詳細な説明】
【技術分野】
【０００１】
本発明は、パチンコ店などの遊技場に設置して使用される基板収納ユニット及びこれを備えた遊技機に関するものである。
【背景技術】
【０００２】
パチンコ店などの遊技場に設置して使用される遊技機であるパチンコ機やスロットマシンは、パチンコ球やメダルに一定の価値が与えられて、遊技を行って獲得したパチンコ球やメダルを種々の景品に交換することができる。パチンコ機は、遊技盤の背面や遊技盤を装着させる本体基部に、パチンコ球の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
最近のパチンコ機の内部に配設されている制御回路装置は、ＣＰＵ（ｃｅｎｔｒａｌ  ｐｒｏｃｅｓｓｉｎｇ  ｕｎｉｔ）、マスクＲＯＭ（ｒｅａｄ  ｏｎｌｙ  ｍｅｍｏｒｙ）といった電子回路部品が組み込まれた回路基板を備え、該ＣＰＵが、該マスクＲＯＭにデータとして記憶されている制御プログラムのデータを逐次読み出して実行することによって、電子制御を行うものが一般的である。
【０００４】
これらの電子回路部品は、処理能力の高まりにつれて発熱量も増大し、その熱によって破損や性能低下などの問題が生じてしまうことがある。この問題に対して、発熱量の大きな部品にはヒートシンクと呼ばれる放熱部材をネジや接着剤を用いて取り付けることが一般的となっている。
【０００５】
また、収容ケースに収容された回路基板の放熱の問題を解決するために、特許文献１には、収容ケースから突出する架台に回路基板を装着するとともに、該架台を介して熱が収容ケース側に伝導するようにした構成が記載されている。
【特許文献１】特開２００２−３３１１３６号公報
【発明の開示】
【発明が解決しようとする課題】
【０００６】
しかしながら、特許文献１に記載された構成では、回路基板の放熱は行うが、個々の電子回路部品から発せられる熱を回路基板及び架台を介して放熱しており、発熱量の大きい電子回路部品が回路基板に設けられている場合には、放熱しきれないという問題があった。この対策としては、ヒートシンクを直接電子回路部品に取り付けることが考えられるが、この場合でも、ヒートシンクは、収容ケースに収容されており、熱が収容ケース内部で滞留するため、ヒートシンクによる放熱効率が悪いという問題があった。そこで、ヒートシンクの放熱フィンを収容ケースの外部に突出させることが考えられるが、放熱フィンを収容ケースの外部に突出させるために放熱フィンを長くすることは、ヒートシンクのコストアップになるという問題があった。
【０００７】
本発明は、放熱フィンを長くすることなく、効率よくヒートシンクによる電子回路部品の放熱を行うことができる基板収納ユニット及びこれを備えた遊技機を提供する。
【課題を解決するための手段】
【０００８】
上記目的を達成するために、本発明の基板収納ユニットは、電子回路部品が組み込まれた回路基板と、前記電子回路部品の上面に対面し当接する板状の当接部、及び前記当接部の上面の外周端よりも内側の範囲に立設される放熱部を有する放熱部材と、前記電子回路部品の上面を上側にして前記回路基板を保持する下ケースと、前記下ケースに被さることによって前記回路基板を覆う上ケースと、を備えた基板収納ユニットであって、前記上ケースの前記当接部上面に対面する上面の前記当接部に対面する位置に、前記放熱部の上面の外周端よりも大きいサイズで形成され、前記放熱部を外部に露呈する露呈開口と、前記上ケースの上内面に、前記露呈開口の外周端に沿うとともに前記当接部に向けて筒状に立設され、前記放熱部の側面を取り囲む筒部と、を備え、前記筒部を、上方から下方に向かうにつれて内側方向に傾斜し、立設方向の先端開口が、前記放熱部を挿通可能で且つ前記当接部を挿通不能となるように形成したことを特徴とする。なお、前記電子回路部品としては、ＣＰＵ、ＩＣ、ＬＳＩ等が挙げられる。また、前記放熱部材としては、ヒートシンク等が挙げられる。さらに、前記放熱部としては、放熱フィン、放熱ピン等が挙げられる。
【０００９】
また、前記当接部の上面の外周端に、前記筒部の立設方向先端部の側面を取り囲む凸部を形成することが好ましい。
【００１０】
さらに、前記当接部の上面と前記筒部の立設方向先端面とが対面するように、前記上ケースを前記下ケースに被せた場合等において、前記当接部の上面と前記筒部の立設方向先端面とに当接して密着する緩衝部材を設けることが好ましい。また、記緩衝部材を、前記当接部が前記電子回路部品に当接して密着するように前記放熱部材を付勢するバネ部材から構成することが好ましい。なお、前記バネ部材としては、板バネ、コイルバネ、トーションバネ等が挙げられる。
【００１１】
さらに、本発明の遊技機は、上記基板収納ユニットを備えたことを特徴とする。なお、前記回路基板としては、ＣＰＵ及びＲＯＭ等が搭載され、遊技時の当りの抽選を行う当り抽選部及び抽選部の駆動を制御する制御部を有する主制御基板や、抽選部の抽選結果に応じてスピーカやランプ等の駆動装置の駆動を制御する副制御基板等が挙げられるが、主制御基板であることが好ましく、前記電子回路部品としては、前記抽選部または前記制御部として機能するＣＰＵであることが好ましい。
【発明の効果】
【００１２】
本発明の基板収納ユニットによれば、電子回路部品が組み込まれた回路基板と、電子回路部品の上面に対面し当接する板状の当接部、及び当接部の上面の外周端よりも内側の範囲に立設される放熱部を有する放熱部材と、電子回路部品の上面を上側にして回路基板を保持する下ケースと、下ケースに被さることによって回路基板を覆う上ケースと、上ケースの当接部上面に対面する上面の当接部に対面する位置に、放熱部の上面の外周端よりも大きいサイズで形成され、放熱部を外部に露呈する露呈開口と、上ケースの上内面に、露呈開口の外周端に沿うとともに当接部に向けて筒状に立設され、放熱部の側面を取り囲む筒部と、を備え、筒部を、上方から下方に向かうにつれて内側方向に傾斜し、立設方向の先端開口が、放熱部を挿通可能で且つ当接部を挿通不能となるように形成したから、放熱部を長くすることなく、放熱部の基板収納ケース外部の空気に接する面積を多くすることができ、放熱部材による電子回路部品の放熱を効率よく行うことができる。
【００１３】
また、当接部の上面の外周端に、筒部の立設方向先端部の側面を取り囲む凸部を形成したから、ゴト（不正）行為を行う者が、露呈開口から針金等のゴト具を挿入し、電子回路部品にゴト行為を行う場合に、その行為を手間のかかるものにすることができ、ゴト行為による被害を軽減することができる。
【００１４】
さらに、当接部の上面と筒部の立設方向先端面とに当接して密着する緩衝部材を設けたから、当接部を電子回路部品に確実に当接させることができる。また、緩衝部材を、当接部が電子回路部品に当接して密着するように放熱部材を付勢するバネ部材から構成したから、より一層確実に当接部を電子回路部品に確実に当接させることができる。
【００１５】
さらに、本発明の遊技機によれば、上記基板収納ユニットを備えたから、電子回路部品の過熱による遊技機の誤作動を低減することができる。
【発明を実施するための最良の形態】
【００１６】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６、及びパチンコ球７の打ち出し強さを調節する操作ハンドル８が設けられている。遊技盤４のパチンコ球７が打ち出される遊技領域４ａの略中央には、始動入賞口１０へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、通過入賞口１２、アタッカ１３、アウト口１４が遊技盤４に一体的に組み付けられている。また、遊技盤４の略中央には、センター役物１５が一体的に組み付けられており、センター役物１５に形成された開口１５ａを介して、図柄可変表示装置９を視認することができる。
【００１７】
各入賞口１０〜１２内には、各入賞口１０〜１２に入ったパチンコ球７を検知する入賞球検知センサ１６（図７参照）が設けられている。遊技者は、供給皿６にパチンコ球７を投入してパチンコ球７を供給皿６内に設けられた誘導路を介して球発射装置１７（図７参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１１のいずれかまたはアタッカ１３に入るか、あるいはアウト口１４から回収される。アタッカ１３の奥には大入賞口（図示せず）が可動扉に覆われて設けられており、大入賞口内には、大入賞口に入ったパチンコ球７を検知する大入賞球検知センサ１９（図７参照）が設けられている。アタッカ１３は大入賞口を開放する開き位置と大入賞口を閉じる閉じ位置との間で回動自在に取り付けられている。なお、パチンコ機２の遊技領域４ａに設けられている複数の釘、風車などの構造物は公知であるので説明は省略する。
【００１８】
図２にパチンコ機２の背面側の外観を示す。パチンコ機２の本体枠３には、遊技を行う際に球払出装置１８等の各種装置を作動させるための主制御を行う主制御基板（回路基板）２１の他に、副制御基板２２、球発射装置１７、球払出装置１８等がそれぞれ組み付けられている。これら制御基板及び装置は、図示しないケーブル等を介して電気的に接続されている。また、本体枠３の内部にはスピーカ等の音声発生装置２６（図７参照）や、本体枠３及び遊技盤４上の様々な位置にランプ２７（図７参照）が設けられており、音声発生装置２６から演出効果を持たせた音声を発生させたり、ランプ２７の点灯制御によって演出効果を出すといったことを行う。
【００１９】
主制御基板２１は、基板収納ケース３０に収納されており、基板収納ケース３０は、本体枠３に取り付けられている。
【００２０】
図３に示すように、基板収納ケース３０は、上ケース３１と下ケース３２とを備え、下ケース３２は、本体枠３に組み付けられている。上ケース３１と下ケース３２とは、主制御基板２１、ヒートシンク（放熱部材）３５（図４参照）を収納した状態で取り付けられており、これにより、主制御基板２１に対して何人も接触できないよう防護している。上ケース３１及び下ケース３２は、透明な樹脂から構成されており、基板収納ケース３０の内部を視認可能になっている。
【００２１】
なお、上ケース３１及び下ケース３２は、上ケース３１が図３における前側に、下ケース３２が図３における後側に、それぞれ位置するように本体枠３に取り付けられているが、本実施形態では、図５及び図６に示す基板収納ケース３０の状態に基づき、上ケース３１及び下ケース３２と称している。また、図５または図６に示す基板収納ケース３０の状態で、本体枠３に取り付けるようにしてもよい。
【００２２】
図４及び図５に示すように、側面視コ字状の上ケース３１は、長板状の本体部３１ａ、本体部３１ａの図４における上側の先端部を９０°の角度で折り曲げられた形状で形成された上曲げ部３１ｂ、本体部３１ａの図４における下側の先端部を９０°の角度で折り曲げられた形状で形成された下曲げ部３１ｃから構成されている。本体部３１ａの図４における右側の端部には、下ケース３２を取り付けるための取付孔３１ｄが所定のピッチで６個形成されている。上曲げ部３１ｂ及び下曲げ部３１ｃには、図４における左側端部と略中央部と右側端部との３箇所に下ケース３２の係合突起３２ｆを挿入するための係合孔３１ｅがそれぞれ形成されている。なお、図５（Ｂ）は、図５（Ａ）におけるＡ−Ａ断面図であり、図５（Ｃ）は、図５（Ａ）におけるＢ−Ｂ断面図である。
【００２３】
本体部３１ａの略中心部には、ヒートシンク３５の放熱フィン３５ｂを外部に露呈するための矩形状の露呈開口３１ｆが形成されている。露呈開口３１ｆは、８個の放熱フィン３５ｂの上面の外周端よりも大きいサイズで形成されている。
【００２４】
本体部３１ａの上内面には、ヒートシンク３５のベース３５ａをメインＣＰＵ２１ａに当接する方向に押さえつけるための筒状の押さえリブ（筒部）３３が形成されている。押さえリブ３３は、露呈開口３１ｆの外周端に沿うとともにベース３５ａに向かうように形成されている。押さえリブ３３は、図５（Ａ）における左右方向に対向して形成され、突出方向（図５における下方）に向かうにしたがい内側に傾斜する左傾斜部３３ａ及び右傾斜部３３ｂと、図５（Ａ）における上下方向に対向して形成され、突出方向（図５における下方）に向かうにしたがい内側に傾斜する上傾斜部３３ｃ及び下傾斜部３３ｄと、を備える。これら各傾斜部３３ａ〜３３ｄは、すり鉢状に連続して一体的に形成されている。各傾斜部３３ａ〜３３ｄは、各傾斜部３３ａ〜３３ｄの下側先端により形成される挿通開口（立設方向の先端開口）３４のサイズが、ヒートシンク３５の放熱フィン３５ｂが挿通可能で、且つヒートシンク３５のベース３５ａが挿通不能なサイズとなるように形成されている。また、各傾斜部３３ａ〜３３ｄの下側先端には、鉛直方向に立ち上がる直線部３３ｅがそれぞれ一体的に連設して形成されている。この直線部３３ｅは、後述する放熱フィン３５ｂと凸部３５ｃとの間に挿入される。
【００２５】
下ケース３２は、上部が開口する箱状に形成された本体部３２ａ、本体部３２ａの図４における右側の開口縁部に一体に形成され、上ケース３１を取り付けるための円筒状の取付部３２ｂから構成されている。取付部３２ｂは６個形成されており、それぞれに取付孔３２ｃが形成されている。本体部３２ａの図４における上外面３２ｄ及び下外面３２ｅには、左側端部と略中央部と右側端部とに上ケース３１の係合孔３１ｅに対応して挿入するための凸状の係合突起３２ｆがそれぞれ形成されている。係合突起３２ｆは、図４に示す拡大図のように背面側から前面側に向けて肉厚が薄くなるような三角柱状に形成されている。
【００２６】
主制御基板２１には、メインＣＰＵ（電子回路部品）２１ａが組み込まれている。このメインＣＰＵ２１ａは、多量の電気的処理を行うものであり、熱を発する。ヒートシンク（放熱部材）３５は、メインＣＰＵ２１ａが発する熱を放熱させるものであり、基板収納ケース３０に収納されている。ヒートシンク３５は、平板状のベース（当接部）３５ａと、ベース３５ａの上面の外周端よりも内側の範囲に立設される８個の放熱フィン（放熱部）３５ｂと、ベース３５ａの上面の外周端に形成された凸部３５ｃと、を備える。凸部３５ｃは、押さえリブ３３の直線部３３ｅの側面を取り囲む長さで形成されている。そして、直線部３３ｅは、放熱フィン３５ｂの側面と凸部３５ｃとによって、ほぼ隙間なく挟持される嵌合状態となる。主制御基板２１は、メインＣＰＵ２１ａの上面を上側にして下ケース３２に取り付けられている。なお、本実施形態では、放熱フィン３５ｂを板状に形成しているが、放熱フィン３５ｂの形状は適宜変更されるものである。
【００２７】
図５及び図６に示すように、ベース３５ａの上面における放熱フィン３５ｂと凸部３５ｃとの間には、バネ部材としての弾性変形可能な薄板金属製の板バネ３６が取り付けられている。板バネ３６は、断面が略く字状に形成されている。板バネ３６は、上ケース３１を下ケース３２に組み付けると、押さえリブ３３の直線部３３ｅが板バネ３６の上側部３６ａに当接して上側部３６ａが下方に変形するようにされている。板バネ３６は、弾性変形するものであり、上側部３６ａが下方に変形すると、上側部３６ａは上方に、下側部３６ｂは下方に、それぞれ弾性変形しようとする。これにより、ヒートシンク３５をメインＣＰＵ２１ａに当接して密着する方向（図６における下方向）の付勢力が発生する。この付勢力により、ヒートシンク３５は常にメインＣＰＵ２１ａに当接して密着する状態となる。
【００２８】
主制御基板２１を、メインＣＰＵ２１ａの上面を上側にして下ケース３２の底内面にビス固定等により取り付け、主制御基板２１のメインＣＰＵ２１ａの上面に、ヒートシンク３５のベース３５ａの底面を当接させる。このとき、メインＣＰＵ２１ａの上面に、メインＣＰＵ２１ａからヒートシンク３５への熱伝導率を高めるための塗布材（例えば、シリコングリス）を塗布しておく。そして、上ケース３１を下ケース３２に取り付けてビス３８により固定すると、ヒートシンク３５は、板バネ３６によりベース３５ａがメインＣＰＵ２１ａに当接して密着する方向（図６における下方向）に付勢される。すなわち、ベース３５ａはメインＣＰＵ２１ａに強固に当接した状態となる。これにより、メインＣＰＵ２１ａから発せられる熱は、ベース３５ａに伝わり、放熱フィン３５ｂから基板収納ケース３０の外部に放出される。本実施形態では、基板収納ユニットは、基板収納ケース３０、主制御基板２１、ヒートシンク３５を備えて構成されている。なお、上ケース３１と下ケース３２とを、ワンウェイネジによって取り外し不能に封印固定するようにしてもよい。
【００２９】
図７に示すように、パチンコ機２の作動は基本的に主制御基板２１と副制御基板２２とによって管制される。主制御基板２１と副制御基板２２とには、それぞれ接続端子が設けられ、接続ケーブル等で接続端子を接続することにより主制御基板２１と副制御基板２２とは電気的に接続される。
【００３０】
主制御基板２１は、メインＣＰＵ（ｃｅｎｔｒａｌ  ｐｒｏｃｅｓｓｉｎｇ  ｕｎｉｔ）２１ａ及びメインＲＯＭ（ｒｅａｄ  ｏｎｌｙ  ｍｅｍｏｒｙ）２１ｂ及びメインＲＡＭ（ｒａｎｄｏｍ  ａｃｃｅｓｓ  ｍｅｍｏｒｙ）２１ｃを備える。メインＣＰＵ２１ａは、入賞球検知センサ１６から入力される入力信号に応じて、メインＲＯＭ２１ｂに記憶されている遊技制御プログラムを読み込んでパチンコ機の遊技状態を制御する命令を生成すると共に、副制御基板２２に命令情報を送信して所定の遊技状態となるように実行させる。メインＲＯＭ２１ｂには、遊技制御プログラムが所定の領域に格納されているとともに、大当り抽選部２１ｄが設けられており、この大当たり抽選部２１ｄには、乱数生成処理プログラム及び乱数テーブルなどが格納されている。これら遊技制御プログラム、乱数生成処理プログラム及び乱数テーブルは、メインＣＰＵ２１ａによって読み出され、演算処理されるように適宜用いられる。メインＲＡＭ２１ｃは、ワーキングエリアとなっており、遊技において利用されるデータなどの一時的保管や書き換えなどに用いられる。
【００３１】
メインＣＰＵ２１ａは、入賞球検知センサ１６からの信号が入力されると、メインＲＯＭ２１ｂに記憶されている遊技制御プログラムに基づいて、球払出装置１８を駆動して所定個数の賞球を供給皿６上に払い出す。なお、賞球の個数は、遊技球が入った各入賞口１０、１１の種類に応じて適宜設定して良い。また、球発射装置１７は、操作ハンドル８に接続されており、操作ハンドル８の回転操作により駆動が制御される。
【００３２】
副制御基板２２は、サブＣＰＵ２２ａ、サブＲＯＭ２２ｂ及びサブＲＡＭ２２ｃを備える。サブＣＰＵ２２ａは、サブＲＯＭ２２ｂに格納された副制御装置用制御プログラムを適宜読み出し、主制御基板２１から命令情報として入力される制御信号に応じて定められる副制御用制御プログラムに従って、図柄可変表示装置９の駆動制御を行う。サブＲＡＭ２２ｃはワーキングエリアとなっており、図柄可変表示装置９の制御において利用されるデータなどの一時的保管や書き換えなどに用いられる。
【００３３】
始動入賞口１０に入ったパチンコ球７が入賞球検知センサ１６により検知されると、メインＣＰＵ２１ａにスタート信号が入力される。メインＣＰＵ２１ａはスタート信号に応答して大当り抽選部２１ｄを作動させる。
【００３４】
大当り抽選部２１ｄは、乱数発生器、乱数サンプリング回路、大当り決定テーブルを含んでおり、始動入賞口１０の入賞球検知センサ１６によりパチンコ球７の入賞が検知されるたびに１つの乱数値を抽選する。抽選された乱数値は大当りテーブルと照合され、大当りモードに移行させるか否かが抽選判定の結果として決定され、該決定に係る情報（例えばコマンド）が生成される。
【００３５】
大当り決定テーブルでは、乱数値がその大きさに応じて３つのグループにグループ分けされている。３つの乱数値グループには、ハズレ、通常大当たりモードに移行させる「通常大当たり」、通常時とは大当たり確率が異なる（例えば、大当たり確率が高い）確率変動大当たり（以下、確変大当り）モードに移行させる「確変大当り」がそれぞれ割り当てられており、サンプリングされた乱数値がいずれのグループに属する値であるかによって、ハズレ及び大当りのいずれかにするかを決定する当選判定が行われる。抽選が終了すると抽選結果信号がメインＣＰＵ２１ａにフィードバックされる。メインＣＰＵ２１ａは、抽選結果信号をサブＣＰＵ２２ａに送る。
【００３６】
メインＣＰＵ２１ａは、大当り抽選部２１ｄで「通常大当たり」または「確変大当たり」が抽選されると、アタッカ１３を開き位置まで回動し、アタッカ１３が３０秒開放されるか、または大入賞口にパチンコ球７が１０個入賞される（大入賞球検知センサ１９によりパチンコ球７が１０個検知される）かを１ラウンドとして、所定ラウンド（例えば、１５ラウンド）を継続して実行する。また、「確変大当たり」が抽選されると、大当たり状態の終了後、次回大当たりが抽選されるまで、通常時より大当たり確率の高い確変大当り決定テーブルが抽選時に用いられる。
【００３７】
副制御基板２２のサブＲＯＭ２２ｂには、各特別図柄のグラフィックデータ、停止図柄用乱数サンプリング回路、停止図柄テーブルが格納されている。サブＣＰＵ２２ａは、抽選結果信号が入力されると、サブＲＯＭ２２ｂに格納させた停止図柄用乱数サンプリング回路に基づいて乱数値のサンプリングを行わせ、サンプリングされた乱数値を停止図柄テーブルと比較させる。停止図柄テーブルはハズレ用、大当り用、確変大当たり用の３種類設けられており、サンプリングされた乱数値は大当り抽選部２１ｄでの抽選結果に対応する停止図柄テーブルと照合される。ぞれぞれの停止図柄テーブルには、グループ分けされた乱数値に入賞有効ライン上に停止させる特別図柄の組み合わせが割り当てられており、サンプリングされた乱数値がいずれのグループに属する値であるかによって、入賞有効ライン上に停止される特別図柄の組み合わせが決定される。サブＣＰＵ２２ａは、決定された特別図柄の組み合わせに基づき、図柄可変表示装置９での特別図柄の変動表示及び停止表示の制御を行う。なお、停止図柄テーブルには、例えば入賞有効ライン上に特別図柄が２個停止したときに特定の特別図柄が揃った状態、つまりはリーチ状態となったときの特別図柄の変動態様、図柄可変表示中に行われるリーチ予告での特別図柄の変動態様、大当り予告での特別図柄の停止態様など、様々なバリエーションの特別図柄の変動態様を行わせるか否かのデータも含まれている。
【００３８】
上記のように構成されたパチンコ機２の作用について説明する。主制御基板２１のメインＣＰＵ２１ａは、上記したような多量の電気的処理を行うものであり、熱を発する。ヒートシンク３５のベース３５ａは、メインＣＰＵ２１ａに当接しており、メインＣＰＵ２１ａから発せられる熱は、ベース３５ａに伝わり、放熱フィン３５ｂから基板収納ケース３０の外部に放熱される。上ケース３１には、露呈開口３１ｆ及び押さえリブ３３が形成され、押さえリブ３３はすり鉢状に形成されているため、放熱フィン３５ｂの上面及び側面の基板収納ケース３０外部の空気に接する面積が大きくなり、放熱フィン３５ｂの先端面及び側面から効率よく放熱される。
【００３９】
このように、上ケース３１に露呈開口３１ｆ及びすり鉢状の押さえリブ３３を形成したから、放熱フィン３５ｂの上面及び側面を、基板収納ケース３０の外部に露呈させて基板収納ケース３０内部に比べて低温の空気に多く触れさせることができる。これにより、効率よくヒートシンク３５による放熱を行うことができる。
【００４０】
また、上ケース３１の露呈開口３１ｆの外周端に沿って押さえリブ３３を形成し、ヒートシンク３５のベース３５ａに凸部３５ｃを形成し、押さえリブ３３の直線部３３ｅを、放熱フィン３５ｂと凸部３５ｃとの間に挿入し、さらには、直線部３３ｅの下面とベース３５ａの上面とに当接する板バネ３６を配設し、密閉状態となるようにしたから、ゴト（不正）行為を行う者が、露呈開口３１ｆから針金等のゴト具を挿入し、メインＣＰＵ２１ａにゴト行為を行う場合に、その行為を手間のかかるものにすることができ、ゴト行為による被害を軽減することができる。
【００４１】
さらに、板バネ３６により、ヒートシンク３５をメインＣＰＵ２１ａに当接して密着する方向に付勢することができ、この付勢力により、ヒートシンク３５を強固にメインＣＰＵ２１ａに当接して密着させることができる。
【００４２】
なお、上記実施形態では、ヒートシンク３５を１個設けた実施形態について説明したが、その個数は限定されることなく、電子回路部品の個数に応じて適宜変更されるものである。
【００４３】
また、上記実施形態では、ヒートシンク３５を、ベース３５ａ上に放熱フィン３５ｂを配列した形状のものから構成したが、ヒートシンク３５の形状としてはこれに限定されることなく、電子回路部品と当接することのできる形状であればよく、ベース３５ａ上に放熱ピンを配列したものなど適宜変更可能である。
【００４４】
さらに、上記実施形態では、パチンコ機２を例に挙げて説明したが、スロットマシンなどの各種遊技機についても本発明は適用することができる。
【図面の簡単な説明】
【００４５】
【図１】本発明を実施したパチンコ機の外観を示す斜視図である。
【図２】パチンコ機の背面側からの外観を示す斜視図である。
【図３】基板収納ケースを示す斜視図である。
【図４】基板収納ケースを示す分解斜視図である。
【図５】主制御基板と基板収納ケースとヒートシンクと板バネとを示す下側面断面図である。
【図６】主制御基板と上ケースと下ケースとヒートシンクと板バネとを示す下側面断面図である。
【図７】パチンコ機内部の電気的構成を示す機能ブロック図である。
【符号の説明】
【００４６】
２  パチンコ機（遊技機）
２１  主制御基板（回路基板）
２１ａ  メインＣＰＵ（電子回路部品）
２２  副制御基板
３０  基板収納ケース
３１  上ケース
３１ａ  本体部
３１ｆ  露呈開口
３２  下ケース
３３  押さえリブ（筒部）
３３ａ  左傾斜部
３３ｂ  右傾斜部
３３ｃ  上傾斜部
３３ｄ  下傾斜部
３３ｅ  直線部
３４  挿通開口（立設方向の先端開口）
３５  ヒートシンク（放熱部材）
３５ａ  ベース（当接部）
３５ｂ  フィン（放熱部）
３５ｃ  凸部
３６  板バネ（緩衝部材）
【図１】
2006340911.tif 000003
【図２】
2006340911.tif 000004
【図３】
2006340911.tif 000005
【図４】
2006340911.tif 000006
【図５】
2006340911.tif 000007
【図６】
2006340911.tif 000008
【図７】
2006340911.tif 000009